【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
軌道情報をプッシュするための方法であって、
履歴軌道情報に従って、受信されたキーワードに一致する推奨された軌道情報を取得するステップと、
前記推奨された軌道情報を、クライアントにプッシュするステップと
を含み、
前記受信されたキーワードは、少なくとも２つの対象のポイントを含む、
ことを特徴とする、方法。
【請求項２】
クライアントによって送信されたキーワードを受信し、前記受信されたキーワードとするステップをさらに含み、
前記履歴軌道情報は、前記クライアントが位置するクライアント端末に関する履歴軌道情報、及び前記クライアント端末以外の少なくとも１つの端末に関する履歴軌道情報を含むものである、
ことを特徴とする、請求項１に記載の方法。
【請求項３】
前記推奨された軌道情報を取得する前記ステップは、
前記少なくとも２つの対象のポイントと前記履歴軌道情報との間の対応関係に従って、前記少なくとも２つの対象のポイントの各々に対応する履歴軌道情報を取得するステップと、
前記少なくとも２つの対象のポイントの各々に対応する前記履歴軌道情報に従って、前記少なくとも２つの対象のポイントを同時に含む履歴軌道情報を取得するステップと、
前記少なくとも２つの対象のポイントを同時に含む前記履歴軌道情報を、前記推奨された軌道情報とみなすステップと
を含むことを特徴とする、請求項１に記載の方法。
【請求項４】
前記受信されたキーワードは、普遍的な要求タイプのキーワードであることを特徴とする、請求項２に記載の方法。
【請求項５】
前記推奨された軌道情報を取得する前記ステップは、
前記受信されたキーワードに従って、前記クライアントを使用しているユーザの要求の軌道タイプを取得するステップと、
前記軌道タイプと前記履歴軌道情報との間の対応関係に従って、前記軌道タイプに対応する履歴軌道情報を取得するステップと、
前記軌道タイプに対応する前記履歴軌道情報から、前記履歴軌道情報の少なくとも一部を選択して、前記キーワードに一致する、前記推奨された軌道情報として供給するステップと
を含むことを特徴とする、請求項４に記載の方法。
【請求項６】
前記履歴軌道情報の前記少なくとも一部を選択する処理が、前記履歴軌道情報の全てを選択する処理を含むことを特徴とする、請求項５に記載の方法。
【請求項７】
少なくとも１つのシナリオタイプの各々に対応するＫ個の履歴軌道情報を取得するステップであって、Ｋは１以上の整数であるステップと、
少なくとも１つの地理的位置に従って、前記少なくとも１つのシナリオタイプの各々に対応する前記Ｋ個の履歴軌道情報に対して分類処理を実行して、前記少なくとも１つの地理的位置の各々に対応するＰ個の履歴軌道情報を取得するステップであって、Ｐは１以上、且つＫ以下の整数であるステップと、
前記Ｐ個の履歴軌道情報の各々の重み値を取得するステップと、
前記重み値及び予め設定された重み閾値に従って、前記Ｐ個の履歴軌道情報のうちのＲ個の履歴軌道情報を取得するステップであって、Ｒは１以上、且つＰ以下の整数であるステップと、
前記少なくとも１つのシナリオタイプ、及び前記少なくとも１つの地理的位置に従って、少なくとも１つの軌道タイプを取得するステップと、
前記少なくとも１つの軌道タイプ、及び前記Ｒ個の履歴軌道情報に従って、前記軌道タイプと前記履歴軌道情報との間の対応関係を取得するステップと
を更に含むことを特徴とする、請求項５に記載の方法。
【請求項８】
少なくとも１つのシナリオタイプの各々に対応するＫ個の履歴軌道情報を取得するステップであって、Ｋは１以上の整数であるステップと、
少なくとも１つの地理的位置に従って、前記少なくとも１つのシナリオタイプの各々に対応する前記Ｋ個の履歴軌道情報に対して分類処理を実行して、前記少なくとも１つの地理的位置の各々に対応するＰ個の履歴軌道情報を取得するステップであって、Ｐは１以上、且つＫ以下の整数であるステップと、
前記Ｐ個の履歴軌道情報の各々の重み値を取得するステップと、
前記Ｐ個の履歴軌道情報のうち最大重み値を有するＲ個の履歴軌道情報を取得するステップであって、Ｒは１以上、且つＰ以下の整数であるステップと、
前記Ｒ個の履歴軌道情報に従って、少なくとも１つの対象のポイントを取得するステップと、
前記対象のポイントの各々、及び前記Ｒ個の履歴軌道情報に従って、前記対象のポイントと前記履歴軌道情報との間の対応関係を取得するステップと
を更に含むことを特徴とする、請求項５に記載の方法。
【請求項９】
前記プッシュするステップは、
前記推奨された軌道情報の重み値を獲得するステップと、
前記重み値の降順に従って、前記推奨された軌道情報をランク付けして、ランク付け結果を取得するステップと、
前記ランク付け結果をプッシュするステップと
を含むことを特徴とする、請求項１に記載の方法。
【請求項１０】
軌道情報をプッシュするための装置であって、
クライアントによって送信されたキーワードを受信するように構成された受信ユニットと、
履歴軌道情報に従って、前記キーワードに一致する推奨された軌道情報を取得するように構成された第１の処理ユニットであって、前記履歴軌道情報は、前記クライアントが位置する端末に関する履歴軌道情報、及び前記クライアントが位置する前記端末以外の少なくとも１つの端末に関する履歴軌道情報を含む、第１の処理ユニットと、
前記推奨された軌道情報を、前記クライアントにプッシュするように構成されたプッシュユニットと
を備え、
受信される前記キーワードは、少なくとも２つの対象のポイントを含む、
ことを特徴とする装置。
【請求項１１】
前記第１の処理ユニットは特に、
前記対象のポイントと前記履歴軌道情報との間の対応関係に従って、前記少なくとも２つの対象のポイントの各々に対応する履歴軌道情報を取得し、
前記対象のポイントの各々に対応する前記履歴軌道情報に従って、前記少なくとも２つの対象のポイントを同時に含む履歴軌道情報を取得し、前記少なくとも２つの対象のポイントを同時に含む前記履歴軌道情報を、前記推奨された軌道情報とみなす、
ように構成されていることを特徴とする、請求項１０に記載の装置。
【請求項１２】
前記キーワードは、普遍的な要求タイプに関連するキーワードであり、前記第１の処理ユニットは特に、
前記キーワードに従って、前記クライアントを使用しているユーザの要求の軌道タイプを取得し、
前記軌道タイプと前記履歴軌道情報との間の対応関係に従って、前記軌道タイプに対応する履歴軌道情報を取得し、
前記軌道タイプに対応する前記履歴軌道情報から、前記履歴軌道情報の少なくとも一部を選択して、前記キーワードに一致する、前記推奨された軌道情報として供給する、
ように構成されていることを特徴とする、請求項１０に記載の装置。
【請求項１３】
少なくとも１つのシナリオタイプの各々に対応するＫ個の履歴軌道情報を取得することであって、Ｋは１以上の整数であること、
少なくとも１つの地理的位置に従って、前記少なくとも１つのシナリオタイプの各々に対応する前記Ｋ個の履歴軌道情報に対して分類処理を実行して、前記少なくとも１つの地理的位置の各々に対応するＰ個の履歴軌道情報を取得することであって、Ｐは１以上、且つＫ以下の整数であること、
前記Ｐ個の履歴軌道情報の各々の重み値を取得すること、
前記重み値及び予め設定された重み閾値に従って、前記Ｐ個の履歴軌道情報のうちのＲ個の履歴軌道情報を取得することであって、Ｒは１以上、且つＰ以下の整数であること、
前記少なくとも１つのシナリオタイプ、及び前記少なくとも１つの地理的位置に従って、少なくとも１つの軌道タイプを取得すること、及び
前記少なくとも１つの軌道タイプ、及び前記Ｒ個の履歴軌道情報に従って、前記軌道タイプと前記履歴軌道情報との間の対応関係を取得すること、
を行う第２の処理ユニットを更に備えることを特徴とする、請求項１２に記載の装置。
【請求項１４】
少なくとも１つのシナリオタイプの各々に対応するＫ個の履歴軌道情報を取得することであって、Ｋは１以上の整数であること、
少なくとも１つの地理的位置に従って、前記少なくとも１つのシナリオタイプの各々に対応する前記Ｋ個の履歴軌道情報に対して分類処理を実行して、前記少なくとも１つの地理的位置の各々に対応するＰ個の履歴軌道情報を取得することであって、Ｐは１以上、且つＫ以下の整数であること、
前記Ｐ個の履歴軌道情報の各々の重み値を取得すること、
前記Ｐ個の履歴軌道情報のうち最大重み値を有するＲ個の履歴軌道情報を取得することであって、Ｒは１以上、且つＰ以下の整数であること、
前記Ｒ個の履歴軌道情報に従って、少なくとも１つの対象のポイントを取得すること、及び
前記対象のポイントの各々、及び前記Ｒ個の履歴軌道情報に従って、前記対象のポイントと前記履歴軌道情報との間の対応関係を取得すること
を行うように構成された第２の処理ユニットを更に備えることを特徴とする、請求項１２に記載の装置。
【請求項１５】
前記プッシュユニットは特に、
前記推奨された軌道情報の重み値を獲得し、
前記重み値の降順に従って、前記推奨された軌道情報をランク付けして、ランク付け結果を取得し、
前記ランク付け結果を、前記クライアントにプッシュする、
ように構成されていることを特徴とする、請求項１０に記載の装置。
【請求項１６】
プロセッサにより実行された際に軌道情報をプッシュするための少なくとも１つのプログラムが記憶された、非一時的なコンピュータ可読記憶媒体であって、
履歴軌道情報に従って、受信されたキーワードに一致する推奨された軌道情報を取得するための命令と、
前記推奨された軌道情報を、クライアントにプッシュするための命令と
を含み、
前記受信されたキーワードは、少なくとも２つの対象のポイントを含む、
ことを特徴とする、非一時的なコンピュータ可読記憶媒体。
【請求項１７】
クライアントによって送信されたキーワードを受信し、前記受信されたキーワードとするための命令をさらに含み、
前記履歴軌道情報は、前記クライアントが位置するクライアント端末に関する履歴軌道情報、及び前記クライアント端末以外の少なくとも１つの端末に関する履歴軌道情報を含むものである、
ことを特徴とする、請求項１６に記載の非一時的なコンピュータ可読記憶媒体。
【請求項１８】
前記取得するための命令は、
前記少なくとも２つの対象のポイントと前記履歴軌道情報との間の対応関係に従って、前記少なくとも２つの対象のポイントの各々に対応する履歴軌道情報を取得するための命令と、
前記少なくとも２つの対象のポイントの各々に対応する前記履歴軌道情報に従って、前記少なくとも２つの対象のポイントを同時に含む履歴軌道情報を取得するための命令と、
前記少なくとも２つの対象のポイントを同時に含む前記履歴軌道情報を、前記推奨された軌道情報とみなすための命令と
を含むことを特徴とする、請求項１６に記載の非一時的なコンピュータ可読記憶媒体。